(57)【要約】  本発明は、ユーザ端末のハウジング及びユーザ端末を提供する。ハウジングにはジャックが配設される。ジャックには封止キットが配設され、封止キットはハウジングの内側にある。封止キットには挿入口が配設される。挿入口はジャックの中央に配置される。ピンがジャック貫通後に封止キットを貫通すると、封止キットの挿入口が開く。ピンを封止キットから抜くと、封止キットの挿入口が閉じる。したがって、封止キットは、ユーザ端末のカードトレイを取り外すためにピンホールに配設され、これにより、低コスト且つ狭いスペースしか占有しない封止がピンホールにおいて実現され、防水効果が実現される。
2019522911.tif 000002
【特許請求の範囲】
【請求項１】
ユーザ端末のハウジングであって、前記ハウジングにはジャックが配設され、前記ジャックには封止キットが配設され、前記封止キットは前記ハウジングの内側にあり、前記封止キットには挿入口が配設され、前記挿入口は前記ジャックの中央に配置され、ピンが前記ジャックを貫通した後に前記封止キットを貫通すると、前記封止キットの前記挿入口が開き、前記ピンを前記封止キットから抜くと、前記封止キットの前記挿入口が閉じる、ハウジング。
【請求項２】
前記ジャックは、前記ユーザ端末のカードトレイを取り外すように構成されたピンホールであり、前記ピンは、前記ユーザ端末の前記カードトレイを取り外すように構成されたエジェクタピンである、請求項１に記載の方法。
【請求項３】
前記ジャックはイヤホンジャックであり、前記ピンはイヤホンコネクタである、請求項１に記載の方法。
【請求項４】
前記ジャックはユニバーサルシリアルバスＵＳＢポートであり、前記ピンはＵＳＢコネクタである、請求項１に記載の方法。
【請求項５】
前記封止キットはゴムパッドである、請求項１から４のいずれか一項に記載のハウジング。
【請求項６】
前記封止キットに配設される前記挿入口は十字形状の隙間である、請求項１から５のいずれか一項に記載のハウジング。
【請求項７】
前記ユーザ端末はハンドセットである、請求項１から６のいずれか一項に記載のハウジング。
【請求項８】
ユーザ端末であって、前記ユーザ端末は請求項１から７のいずれか一項に記載のハウジングを備える、ユーザ端末。
【発明の詳細な説明】
【技術分野】
【０００１】
本出願は、２０１６年４月２９日に中国特許庁に出願された「ユーザ端末のハウジング及びユーザ端末（ＨＯＵＳＩＮＧ  ＯＦ  ＵＳＥＲ  ＴＥＲＭＩＮＡＬ  ＡＮＤ  ＵＳＥＲ  ＴＥＲＭＩＮＡＬ）」と題する中国特許出願第２０１６２０３８４１８７．４号に基づく優先権を主張し、当該特許出願はその全体が参照により本明細書に組み込まれる。
【０００２】
本発明はユーザ端末の分野に関し、より具体的には、ユーザ端末のハウジング及びユーザ端末に関する。
【背景技術】
【０００３】
現在、ユーザ端末のカードトレイは通常、ポップアップ方式で設計されており、ポップアップさせるには、カードトレイに力を加える必要がある。現在、ユーザ端末の内部構造がますますコンパクト化し、ハンドセットには限られたスペースしかなく、一般設計では加圧するための比較的広いスペースを提供できないので、
比較的小さい直径のエジェクタピンが加圧操作を完了するのに用いられる。エジェクタピンの場合、エジェクタピンの挿入を容易にするために、外殻部品に挿入口を配設する必要がある。この挿入口によって、ハンドセットの防水性能が低下することになるので、ハンドセットには防水保護が必要とされる。現在、業界の一般設計では、ピンホールに水が浸入する問題を解決するために、ハンドセットのカードコネクタの周囲を封止している。
【０００４】
図１は、従来技術のカードコネクタ封止方式を示す。従来技術による解決手段は、ハンドセットの前面ハウジングに隣接するハンドセットのカードコネクタの周囲に合わせて保持壁を設計し、封止用発泡体を保持壁に接着させており、これにより、主基板がカバーされ、ハンドセットのカードコネクタが密閉される。エジェクタピンで開く、ハンドセットの背面ハウジングに設けられたピンホールに水が入り込んだときに、水はハンドセットに入り込まず、これにより、防水効果が実現される。しかしながら、この解決手段では、保持壁及び発泡体を増やす必要があり、これにより、広いスペースが占有され、比較的高いコストが生じる。
【発明の概要】
【０００５】
こうしたことを考慮して、本出願は、ユーザ端末のハウジング及びユーザ端末を提供する。これにより、長い保持壁及び封止用発泡体を防水のためにカードコネクタの周囲に配設してカードコネクタを密閉することによって生じる広スペース占有問題及び高コスト問題が解決される。
【０００６】
第１の態様によれば、ユーザ端末のハウジングが提供される。ハウジングにはジャックが配設され、ジャックには封止キットが配設され、封止キットはハウジングの内側にある。封止キットには挿入口が配設され、挿入口はジャックの中央に配置される。ピンがピンホール貫通後に封止キットを貫通すると、封止キットの挿入口が開き、ピンを封止キットから抜くと、封止キットの挿入口が閉じる。
【０００７】
別の実施形態において、ジャックは、ユーザ端末のカードトレイを取り外すように構成されたピンホールであり、ピンはユーザ端末のカードトレイを取り外すように構成されたエジェクタピンである。
【０００８】
別の実施形態において、ジャックはイヤホンジャックであり、ピンはイヤホンコネクタである。
【０００９】
別の実施形態において、ジャックはユニバーサルシリアルバスＵＳＢポートであり、ピンはＵＳＢコネクタである。
【００１０】
このように、封止キットはユーザ端末のカードトレイを取り外すためのピンホールに配設され、その結果、低コスト且つ狭いスペースしか占有しない封止がピンホールにおいて実現され、防水効果が実現され、長い保持壁及び封止用発泡体を防水のためにカードコネクタの周囲に配設してカードコネクタを密閉することによって生じる従来技術の広スペース占有問題及び高コスト問題が解決される。
【００１１】
さらに、ユーザ端末のハウジングに設けられたイヤホンジャック、ＵＳＢポートなどでは、挿入口を有する封止キットがジャックに配設され、これにより、イヤホンジャック又はＵＳＢポートなどのジャックの防水封止が実現される。
【００１２】
任意選択で、封止キットはゴムパッドである。
【００１３】
封止キットは、限定されるものではないが、ゴムパッドを含む、すなわち、封止キットの材料はゴムに限定されるものではないことを理解されたい。本発明のこの実施形態において、任意の他の弾性防水材料が、封止キットの材料として用いられてよい。
【００１４】
任意選択で、封止キットに配設される挿入口は十字形状の隙間である。
【００１５】
封止キットに配設される挿入口は、限定されるものではないが十字形状の隙間を含み、別の形状の隙間、例えば、直線形状の隙間、「米」の形状をした隙間などであってもよいことを理解されたい。このことは、本発明において限定されるものではない。
【００１６】
任意選択で、ユーザ端末はハンドセットである。
【００１７】
別のユーザ端末、例えば、タブレットコンピュータ及び別の携帯機器では、ゴムパッドなどの封止キットがユーザ端末のハウジングの挿入口に配設されて封止を実現してよく、これにより、防水効果が実現され、比較的狭いスペースしか占有されず、コストが削減されることを理解されたい。
【００１８】
本出願におけるユーザ端末のハウジングの場合、封止キットは、ユーザ端末のカードトレイを取り外すように構成されたピンホール、イヤホンジャック、及びＵＳＢポートだけでなく、ユーザ端末のハウジングに設けられた、コネクタを挿入できるどの挿入口にも配設されてよいことをさらに理解されたい。
【００１９】
第２の態様によれば、ユーザ端末が提供され、ユーザ端末は第１の態様によるハウジングを含む。
【００２０】
前述の技術的解決手段に基づいて、封止キットは、ユーザ端末のカードトレイを取り外すためのピンホールに配設され、その結果、低コスト且つ狭いスペースしか占有しない封止がピンホールにおいて実現され、防水効果が実現され、長い保持壁及び封止用発泡体を防水のためにカードコネクタの周囲に配設してカードコネクタを密閉することによって生じる従来技術の広スペース占有問題及び高コスト問題が解決される。
【００２１】
さらに、ユーザ端末のハウジングに設けられたイヤホンジャック、ＵＳＢポートなどでは、挿入口を有する封止キットがジャックに配設され、これにより、イヤホンジャック及びＵＳＢポートなどのジャックの防水封止が実現される。
【図面の簡単な説明】
【００２２】
本発明の実施形態における技術的解決手段をより明確に説明するために、以下では、本発明の実施形態を説明するのに必要とされる添付図面を簡潔に説明する。以下の説明における添付図面は、単に本発明の一部の実施形態を示すに過ぎず、当業者であれば、これらの添付図面から創造的努力をすることなく他の図面をさらに引き出し得ることは明らかである。
【００２３】
【図１】従来技術におけるカードコネクタ封止方式の概略図である。
【００２４】
【図２】３次元で表した、本発明の一実施形態によるハンドセットの概略分解図である。
【００２５】
【図３】ハンドセットのハウジングに設けられ、ハンドセットのカードトレイを取り外すように構成された、本発明の一実施形態によるピンホールの概略図である。
【００２６】
【図４】エジェクタピンをハンドセットのハウジングに挿入したときの、本発明の一実施形態によるハウジングの概略図である。
【００２７】
【図５】エジェクタピンをハンドセットのハウジングから抜いたときの、本発明の一実施形態によるハウジングの概略図である。
【発明を実施するための形態】
【００２８】
以下では、本発明の実施形態の添付図面を参照して、本発明の実施形態の技術的解決手段を明確且つ十分に説明する。説明される実施形態は、本発明の実施形態の全てではなく、一部であることは明らかである。本発明の実施形態に基づいて、当業者により創造的努力をすることなく取得される他の全ての実施形態は、本発明の保護範囲に含まれるものとする。
【００２９】
本発明の実施形態におけるユーザ端末（Ｍｏｂｉｌｅ  Ｔｅｒｍｉｎａｌ）は、限定されるものではないが、移動局（Ｍｏｂｉｌｅ  Ｓｔａｔｉｏｎ、略して「ＭＳ」）、携帯電話（Ｍｏｂｉｌｅ  Ｔｅｌｅｐｈｏｎｅ）、ハンドセット（ｈａｎｄｓｅｔ）、タブレットコンピュータ、携帯機器（ｐｏｒｔａｂｌｅ  ｅｑｕｉｐｍｅｎｔ）などを含むことを理解されたい。
【００３０】
本発明の一実施形態がユーザ端末のハウジングを提供する。ハウジングにはジャックが配設される。ジャックには封止キットが配設され、封止キットはハウジングの内側にある。封止キットには挿入口が配設される。挿入口はジャックの中央に配置される。ピンがジャック貫通後に封止キットを貫通すると、封止キットの挿入口が開く。ピンを封止キットから抜くと、封止キットの挿入口が閉じる。
【００３１】
別の実施形態において、ジャックは、ユーザ端末のカードトレイを取り外すように構成されたピンホールであり、ピンはユーザ端末のカードトレイを取り外すように構成されたエジェクタピンである。
【００３２】
別の実施形態において、ジャックはイヤホンジャックであり、ピンはイヤホンコネクタである。
【００３３】
別の実施形態において、ジャックはユニバーサルシリアルバス（Ｕｎｉｖｅｒｓａｌ  Ｓｅｒｉａｌ  Ｂｕｓ、略してＵＳＢ）ポートであり、ピンはＵＳＢコネクタである。
【００３４】
従来技術では、長い保持壁及び封止用発泡体が防水のためにカードコネクタの周りに配設されてカードコネクタを密閉するので、カードコネクタの面積が比較的大きくなる。結果として、カードコネクタの周りの長い保持壁及び封止用発泡体は、多くのスペースを占有し、高いコストをもたらす。しかしながら、本発明のこの実施形態では、ユーザ端末のカードトレイを取り外すためのピンホールに封止キットが配設される。ピンホールは小さいので、封止キットも比較的小さく、これにより、低コスト且つ狭いスペースしか占有しない封止がピンホールにおいて実現され、防水効果が実現される。
【００３５】
さらに、ユーザ端末のハウジングに設けられたイヤホンジャック、ＵＳＢポート、及び別のジャックでも封止キットが配設されてよく、これにより、イヤホンジャック、ＵＳＢポート、及び別のジャックの防水封止が実現される。
【００３６】
本発明のこの実施形態において、上述した封止キットは、ユーザ端末のハウジングに含まれた、コネクタを挿入できる任意の他の挿入口に配設されてよいことに留意されたい。このことは、本発明において限定されるものではない。
【００３７】
別の実施形態において、封止キットはゴムパッドである。
【００３８】
封止キットは、限定されるものではないが、ゴムパッドを含む、すなわち、封止キットの材料はゴムに限定されるものではないことを理解されたい。本発明のこの実施形態において、任意の他の弾性防水材料が、封止キットの材料として用いられてよい。
【００３９】
別の実施形態において、封止キットに配設される挿入口は十字形状の隙間である。
【００４０】
力が加わっていないとき、十字形状の隙間は閉じた状態にある。外力が加わると、十字形状の隙間は開いてよい。外力がなくなると、十字形状の隙間は元の閉じた状態を取り戻してよい。
【００４１】
封止キットに配設される挿入口は、限定されるものではないが十字形状の隙間を含み、別の形状の隙間、例えば、直線形状の隙間、「米」の形状をした隙間などであってもよいことを理解されたい。このことは、本発明において限定されるものではない。ただし、隙間が非常に小さく、水が入り込めないことが条件である。
【００４２】
別の実施形態において、ユーザ端末はハンドセットである。
【００４３】
以下では、図２から図５を参照して、本発明のこの実施形態におけるユーザ端末のハウジングを詳細に説明する。ここで、ハンドセットのハウジングに設けられ、ハンドセットのカードトレイを取り外すように構成された、ピンホールの封止が説明の一例として用いられる。
【００４４】
具体的には、図２は、３次元で表した、本発明の一実施形態によるハンドセットの概略分解図である。図２に示すハンドセットは、封止キット２１０、ハンドセットの背面ハウジング２２０及び前面ハウジング２５０、主基板２３０、ハンドセットのカードコネクタ２４０、ハンドセットのカードトレイ２４１、並びにエジェクタピン２６０を含む。ハンドセットの背面ハウジング２２０及び前面ハウジング２５０は、まとめてハンドセットのハウジングと呼ばれることがある。ハンドセットのカードトレイ２４１は、ストレージカード、例えば、加入者識別モジュール（Ｓｕｂｓｃｒｉｂｅｒ  Ｉｄｅｎｔｉｔｙ  Ｍｏｄｕｌｅ、略して「ＳＩＭ」）カード、又はトランスフラッシュ（Ｔｒａｎｓ  Ｆｌａｓｈ、略して「ＴＦ」）カードを収容するように構成される。ハンドセットのカードトレイ２４１に外力を加えることで、ハンドセットのカードトレイ２４１がハンドセットに挿入されると、ストレージカード及びハンドセットのカードコネクタ２４０が電気的に連結され得る。図３は、ハンドセットのハウジングの外側に設けられ、本発明の一実施形態によるハンドセットのカードトレイを取り外すように構成された、ピンホールの概略図である。図３は、ハンドセットのカードトレイを取り外すように構成されたピンホール２７０を示す。エジェクタピン２６０をピンホール２７０に挿入し、エジェクタピンに特定の力を加えると、ハンドセットのカードトレイ２４１がポップアップし、これにより、ストレージカードを簡便に取り外すことができる。
【００４５】
図２の示す封止キット２１０が配設されてよく、封止キット２１０はハンドセットの背面ハウジング２２０の内側にある。封止キット２１０はゴムパッド２１１であってよい。ゴムパッド２１１に配設された挿入口は十字形状の隙間であってよい。
【００４６】
ハンドセットのカードトレイ２４１を取り外すように構成されたピンホールがハンドセットの前面ハウジング２５０に配置された場合、封止キット２１０はピンホールに配設されてハンドセットの前面ハウジング２５０の内側にあり、あるいは、ハンドセットのハウジングがさらにフレームを含み、ハンドセットのカードトレイ２４１を取り外すように構成されたピンホールがフレームに配置された場合、封止キット２１０はピンホールに配設されてフレームの内側にあることを理解されたい。
【００４７】
例えば、ハンドセットの背面ハウジング２２０の厚さが０．５５ｍｍであり、ハンドセットの背面ハウジング２２０に配設され、ハンドセットのカードトレイ２４１を取り外すように構成されたピンホール２７０が円形であり、ピンホール２７０の厚さがハンドセットの背面ハウジング２２０の厚さと同じであり、ピンホール２７０の直径が１．２ｍｍであることが想定される。ピンホール２７０に配設されるゴムパッド２１１は、ハンドセットの背面ハウジング２２０の内側に貼り付け方式で固定されてよく、又は、背面ハウジング２２０に別の方式で固定されてもよい。このことは、本発明において限定されるものではない。ゴムパッド２２１の形状は、図３に示す正方形であってよい。ゴムパッド２２１の大きさは、２．５ｍｍ×２．５ｍｍ×０．３ｍｍに設定されてよい。すなわち、ゴムパッドの長さ及び幅が両方とも２．５ｍｍに設定され、厚さが０．３ｍｍに設定される。ゴムパッドの挿入口は十字形状の隙間であり、十字形状の隙間はピンホール２７０の中心に配置される。十字形状の隙間の大きさは、１．２ｍｍ×１．２ｍｍであってよい。すなわち、「十字」の水平方向及び鉛直方向の隙間の長さは両方とも１．２ｍｍである。
【００４８】
具体的には、図４及び図５を参照して詳細が説明される。図４及び図５は、ハンドセットのカードトレイ２４１を取り外すように構成されたエジェクタピン２６０と、ゴムパッド２１１と、ハンドセットの背面ハウジング２２０とを別個に示している。封止キット２１０の面積は、ピンホールの面積より大きい。図４に示すように、図４は、エジェクタピンを挿入したときの、本発明の一実施形態によるハンドセットのハウジングの内側の概略図である。ゴムパッド２１１は、ハンドセットの背面ハウジング２２０のピンホール２７０に貼り付けられており、十字形状の隙間がゴムパッド２１１に配設されている。したがって、ハンドセットのカードトレイ２４１を取り外すように構成されたエジェクタピン２６０をピンホール２７０貫通後にゴムパッド２１１に挿入すると、ゴムパッド２１１には弾性があるので、ゴムパッド２１１は外力が加わった状態で変形し、十字形状の隙間が開く。図５に示すように、図５は、エジェクタピンを抜いたときの、本発明の一実施形態によるハンドセットのハウジングの内側の概略図である。ハンドセットのカードトレイ２４１を取り外すように構成されたエジェクタピン２６０をゴムパッド２１１から抜くと、ゴムパッド２１１には弾性があるので、外力がなくなるにつれて、ゴムパッド２１１は十字形状の隙間を自動的に閉じて、挿入される前の形状を取り戻すことができ、これにより、防水効果が実現される。
【００４９】
したがって、封止キットは、ユーザ端末のカードトレイを取り外すように構成されたピンホールに配設され、これにより、ピンホールの封止及び防水効果が実現される。さらに、カードコネクタを密閉するために、長い保持壁及び封止用発泡体をハンドセットの前面ハウジングに配設する必要はない。したがって、主基板のレイアウト面積が増加し、ハンドセットのハウジングの内部スペースの無駄が省かれ、コストが削減される。
【００５０】
イヤホンジャックがユーザ端末のハウジングに配設された場合、封止キット、例えば、ゴムパッドがイヤホンジャックに配設され、十字形状の隙間がゴムパッドに配設される。この場合、イヤホンコネクタをイヤホンジャック貫通後にゴムパッドに挿入すると、ゴムパッドには弾性があるので、ゴムパッドは変形し、十字形状の隙間が開く。イヤホンコネクタをゴムパッドから抜くと、ゴムパッドは十字形状の隙間を自動的に閉じ、挿入される前の形状を取り戻すことができ、これにより、防水効果が実現される。
【００５１】
このように、封止キットはユーザ端末のイヤホンジャックに配設され、これにより、イヤホンジャックにおいて封止が実現され、防水効果が実現される。さらに、狭いスペースしか占有せず低コストであることの利点が得られる。
【００５２】
同様に、ＵＳＢポートがユーザ端末のハウジングに配設された場合、封止キット、例えば、ゴムパッドがＵＳＢポートに配設され、十字形状の隙間がゴムパッドに配設される。この場合、ＵＳＢコネクタをＵＳＢポート貫通後にゴムパッドに挿入すると、ゴムパッドには弾性があるので、ゴムパッドは変形し、十字形状の隙間が開く。ＵＳＢコネクタをゴムパッドから抜くと、ゴムパッドは十字形状の隙間を自動的に閉じ、挿入される前の形状を取り戻すことができ、これにより、防水効果が実現される。
【００５３】
このように、封止キットはユーザ端末のＵＳＢポートに配設され、これにより、ＵＳＢポートでの封止が実現され、防水効果が実現される。さらに、狭いスペースしか占有せず低コストであることの利点が得られる。
【００５４】
別のユーザ端末、例えば、タブレットコンピュータ及び別の携帯機器では、ハンドセットのハウジングに設けられたピンホール、イヤホンジャック、又はＵＳＢポートなどの任意のジャックが、図４及び図５に示す封止方式で封止されてよいことを理解されたい。簡潔さのために、詳細はここで説明しない。
【００５５】
前述の応用例は、説明のための単なる一例に過ぎないことに留意されたい。実際には、ユーザ端末のハウジングに用いられる封止方式の応用シナリオが、要件に従って設定されてよい。このことは、本発明のこの実施形態において、具体的に限定されることはない。
【００５６】
本発明のこの実施形態はさらに、ユーザ端末を提供する。ユーザ端末は、上述したハウジングを含む。ハウジングにはジャックが配設される。ジャックには封止キットが配設され、封止キットはハウジングの内側にある。封止キットには挿入口が配設される。挿入口はジャックの中央に配置される。ピンがジャック貫通後に封止キットを貫通すると、封止キットの挿入口が開く。ピンを封止キットから抜くと、封止キットの挿入口が閉じる。
【００５７】
別個の構成要素として説明されたユニットは、物理的に離れていても離れていなくてもよく、またユニットとして示された構成要素が、物理的なユニットであってもそうでなくてもよく、あるいは１か所に配置されても、複数のネットワークユニットに分散されてもよい。これらの実施形態の解決手段の目的を実現するために、ユニットの一部又は全てが実際の要件に従って選択されてよい。
【００５８】
前述の説明は、本発明の単なる特定の実装例に過ぎず、本発明の保護範囲を限定することを目的としてはいない。本発明において開示された技術的範囲内で当業者が容易に考え出すあらゆる変形又は置き換えは、本発明の保護範囲に含まれるものとする。したがって、本発明の保護範囲は、特許請求の範囲の保護範囲によって決まるものとする。
【図１】
2019522911.tif 000003
【図２】
2019522911.tif 000004
【図３】
2019522911.tif 000005
【図４】
2019522911.tif 000006
【図５】
2019522911.tif 000007
【手続補正書】
【提出日】平成30年12月5日(2018.12.5)
【手続補正１】
【補正対象書類名】特許請求の範囲
【補正対象項目名】全文
【補正方法】変更
【補正の内容】
【特許請求の範囲】
【請求項１】
ハウジングと、カードコネクタと、カードトレイとを備えるハンドセットであって、前記カードトレイは、前記カードコネクタに挿入されるか又は前記カードコネクタから取り外されるように構成され、
前記ハウジングはピンホールを有し、前記ピンホールをピンが貫通した後に、前記カードトレイは前記カードコネクタから取り外され、
前記ハンドセット内に封止キットが配置され、前記封止キットは隙間を有し、前記隙間の前記封止キット上の位置は前記ピンホールの位置に対応し、
前記ピンが、前記ハンドセットの外側から前記ピンホール及び前記封止キットの前記隙間を貫通すると、前記封止キットの前記隙間が開き、
前記ピンを前記封止キットから抜くと、前記封止キットの前記隙間が閉じる、ハンドセット。
【請求項２】
前記封止キットは、前記ピンが前記隙間を貫通するときに動かない、請求項１に記載のハンドセット。
【請求項３】
前記隙間の中心は前記ピンホールの軸上にある、請求項１又は２に記載のハンドセット。
【請求項４】
前記封止キットは前記ハウジングの内側に配設される、請求項１から３のいずれか一項に記載のハンドセット。
【請求項５】
前記封止キットは前記ピンホールに配設される、請求項１から４のいずれか一項に記載のハンドセット。
【請求項６】
前記封止キットはゴムパッドである、請求項１から５のいずれか一項に記載のハンドセット。
【請求項７】
前記ゴムパッドは前記ハウジングに貼り付けられる、請求項６に記載のハンドセット。
【請求項８】
前記封止キットの前記隙間は十字形状の隙間、又は「米」の形状をした隙間、又は直線形状の隙間である、請求項１から７のいずれか一項に記載のハンドセット。
【請求項９】
前記ハウジングは前面ハウジングである、請求項１から８のいずれか一項に記載のハンドセット。
【請求項１０】
前記ハウジングは背面ハウジングである、請求項１から８のいずれか一項に記載のハンドセット。
【請求項１１】
前記ハウジングはフレームである、請求項１から８のいずれか一項に記載のハンドセット。
【請求項１２】
電子機器であって、
ハウジングと、
前記ハウジングに少なくとも部分的に収容されるカードトレイと、
前記ハウジングによって画定されるツール挿入口と、
前記電子機器の前記ハウジング内に配置され、駆動力に応答して前記カードトレイを前記ハウジングから排出する排出機構と、
前記ツール挿入口に結合され、汚染物質が前記ツール挿入口を通って前記ハウジングに入り込むのを防止する封止部と
を備え、
前記封止部は前記ツール挿入口に対応する隙間を有し、ツールが、前記駆動力を与えるために、前記ツール挿入口及び前記隙間を順に貫通すると、前記封止部の前記隙間が開いて、前記ツールが貫通することを可能にし、前記封止部の前記隙間は、前記ツールを抜いて前記駆動力をなくした後に、汚染物質が前記ツール挿入口を通って前記ハウジングに入り込むのを防止するために閉じる、電子機器。
【請求項１３】
前記封止部は、前記ツールが前記隙間を貫通するときに動かない、請求項１２に記載の電子機器。
【請求項１４】
前記カードトレイはＳＩＭトレイである、請求項１２又は１３に記載の電子機器。
【請求項１５】
前記封止部はゴムで作られている、請求項１２から１４のいずれか一項に記載の電子機器。
【請求項１６】
前記隙間の中心は前記ツール挿入口の軸上にある、請求項１２から１５のいずれか一項に記載の電子機器。
【請求項１７】
前記ハウジングは前記電子機器のフレームである、請求項１２から１６のいずれか一項に記載の電子機器。
【請求項１８】
前記ハウジングは前記電子機器の背面ハウジングである、請求項１２から１６のいずれか一項に記載の電子機器。
【請求項１９】
前記封止部の前記隙間は十字形状の隙間、又は「米」の形状をした隙間、又は直線形状の隙間である、請求項１２から１６のいずれか一項に記載の電子機器。
【請求項２０】
電子機器用のハウジングであって、前記ハウジングは、
前記ハウジングに少なくとも部分的に収容されるＳＩＭトレイと、
封止部に結合されるツール挿入口と、
前記電子機器の前記ハウジング内に配置され、駆動力に応答して前記ＳＩＭトレイを前記ハウジングから排出する排出機構と
を備え、
前記ツール挿入口は前記封止部の隙間に対応し、ツールが、前記駆動力を与えるために、前記ツール挿入口及び前記隙間を順に貫通すると、前記封止部の前記隙間が開いて、前記ツールが貫通することを可能にし、前記封止部の前記隙間は、前記ツールを抜いて前記駆動力をなくした後に、汚染物質が前記ツール挿入口を通って前記ハウジングに入り込むのを防止するために閉じる、ハウジング。
【手続補正２】
【補正対象書類名】明細書
【補正対象項目名】００４３
【補正方法】変更
【補正の内容】
【００４３】
以下では、図２から図５を参照して、本発明のこの実施形態におけるユーザ端末のハウジングを詳細に説明する。ここで、ハンドセットのハウジングに設けられ、ハンドセットのカードトレイを取り外すように構成された、ピンホールの封止キットが説明の一例として用いられる。
【手続補正３】
【補正対象書類名】明細書
【補正対象項目名】００４７
【補正方法】変更
【補正の内容】
【００４７】
例えば、ハンドセットの背面ハウジング２２０の厚さが０．５５ｍｍであり、ハンドセットの背面ハウジング２２０に配設され、ハンドセットのカードトレイ２４１を取り外すように構成されたピンホール２７０が円形であり、ピンホール２７０の厚さがハンドセットの背面ハウジング２２０の厚さと同じであり、ピンホール２７０の直径が１．２ｍｍであることが想定される。ピンホール２７０に配設されるゴムパッド２１１は、ハンドセットの背面ハウジング２２０の内側に貼り付け方式で固定されてよく、又は、背面ハウジング２２０に別の方式で固定されてもよい。このことは、本発明において限定されるものではない。ゴムパッド２１１の形状は、図３に示す正方形であってよい。ゴムパッド２１１の大きさは、２．５ｍｍ×２．５ｍｍ×０．３ｍｍに設定されてよい。すなわち、ゴムパッドの長さ及び幅が両方とも２．５ｍｍに設定され、厚さが０．３ｍｍに設定される。ゴムパッドの挿入口は十字形状の隙間であり、十字形状の隙間はピンホール２７０の中心に配置される。十字形状の隙間の大きさは、１．２ｍｍ×１．２ｍｍであってよい。すなわち、「十字」の水平方向及び鉛直方向の隙間の長さは両方とも１．２ｍｍである。
【手続補正４】
【補正対象書類名】明細書
【補正対象項目名】００５８
【補正方法】変更
【補正の内容】
【００５８】
前述の説明は、本発明の単なる特定の実装例に過ぎず、本発明の保護範囲を限定することを目的としてはいない。本発明において開示された技術的範囲内で当業者が容易に考え出すあらゆる変形又は置き換えは、本発明の保護範囲に含まれるものとする。したがって、本発明の保護範囲は、特許請求の範囲の保護範囲によって決まるものとする。
（項目１）
ユーザ端末のハウジングであって、上記ハウジングにはジャックが配設され、上記ジャックには封止キットが配設され、上記封止キットは上記ハウジングの内側にあり、上記封止キットには挿入口が配設され、上記挿入口は上記ジャックの中央に配置され、ピンが上記ジャックを貫通した後に上記封止キットを貫通すると、上記封止キットの上記挿入口が開き、上記ピンを上記封止キットから抜くと、上記封止キットの上記挿入口が閉じる、ハウジング。
（項目２）
上記ジャックは、上記ユーザ端末のカードトレイを取り外すように構成されたピンホールであり、上記ピンは、上記ユーザ端末の上記カードトレイを取り外すように構成されたエジェクタピンである、項目１に記載の方法。
（項目３）
上記ジャックはイヤホンジャックであり、上記ピンはイヤホンコネクタである、項目１に記載の方法。
（項目４）
上記ジャックはユニバーサルシリアルバスＵＳＢポートであり、上記ピンはＵＳＢコネクタである、項目１に記載の方法。
（項目５）
上記封止キットはゴムパッドである、項目１から４のいずれか一項に記載のハウジング。
（項目６）
上記封止キットに配設される上記挿入口は十字形状の隙間である、項目１から５のいずれか一項に記載のハウジング。
（項目７）
上記ユーザ端末はハンドセットである、項目１から６のいずれか一項に記載のハウジング。
（項目８）
ユーザ端末であって、上記ユーザ端末は項目１から７のいずれか一項に記載のハウジングを備える、ユーザ端末。
【国際調査報告】
2019522911.tif 000008
2019522911.tif 000009
2019522911.tif 000010
2019522911.tif 000011